(57)【特許請求の範囲】
【請求項１】
複数のティースを跨いで、先巻き及び後巻きコイルが巻かれる電動機のステーターにおいて、
巻線が巻かれる１組のティース先端コーナー部を連結した直線と、跨られたティース間のスロットの底面の位置を略同一とし、先巻き巻線がスロットに突出せず、後巻き巻線をティースの最も根本に巻くようにしたことを特徴とする電動機のステーター。
【請求項２】
前記スロットの底部に傾斜部を設け、前記直線が前記底面からスロット側に突出しないようにしたことを特徴とする請求項１記載の電動機のステーター。
【請求項３】
前記傾斜部はスロットに設置する絶縁部材を加工することによって形成したことを特徴とする請求項２記載の電動機のステーター。
【発明の詳細な説明】
【０００１】
【発明の属する技術分野】
この発明は電動機のステーターに関するものである。
【０００２】
【従来の技術】
図４は、例えば特開昭６３−２５７４４０号公報に示された従来の電動機のステーターの平面図である。図において、１００はステーターコアであり、複数のティース１０１を有している。１０３はティース１０１の表面に設置された絶縁部材、１０５ａ，１０５ｂは複数のティース１０１に跨って巻かれた巻線であり、巻線１０５ａがティース１０１の根本寄り（内側）に配置され、巻線１０５ｂがティース１０１の先端寄り（外側）に配置されている。
【０００３】
【発明が解決しようとする課題】
従来の電動機のステーターは上記のように構成されているので、外側に配置された巻線１０５ｂは内側に配置された巻線１０５ａに比較して周長が長くなるという問題があった。
また、巻線を内側、外側に配置するため、ステーターの径が大きくなり、ステーターの重量が重くなったり、コストが高くなるという問題もあった。
【０００４】
この発明はかかる問題点を解決するためになされたものであり、巻線の周長を短くでき、コンパクトな電動機のステーターを得ることを目的としている。
【０００５】
【課題を解決するための手段】
この発明に係る電動機のステーターは、複数のティースを跨いで、先巻き及び後巻きコイルが巻かれる電動機のステーターにおいて、
巻線が巻かれる１組のティース先端コーナー部を連結した直線と、跨られたティース間のスロットの底面の位置を略同一とし、先巻き巻線がスロットに突出せず、後巻き巻線をティースの最も根本に巻くようにしたものである。
【０００６】
また、スロットの底部に傾斜部を設け、前記直線が前記底面からスロット側に突出しないようにしたものである。
【０００７】
さらに、前記傾斜部はスロットに設置する絶縁部材を加工することによって形成したものである。
【０００８】
【発明の実施の形態】
実施の形態１．
図１はこの発明の実施の形態１である電動機のステーターの平面図である。
図において、１はステーターコアであり、複数のティース３〜１０が放射状に設けられており、各ティースの先端には傘状に広がったティース先端部３ａ〜１０ａを有している。そして、各ティース３〜１０における各ティースの直線部とティース先端部３ａ〜１０ａとの連結部にはコーナー部３ｂ〜１０ｂが形成されている。
また、ステーターにおける巻線が巻かれる部分には、ステーターコア１の外形に沿うように形成された絶縁部材１３が設置されている。
【０００９】
この実施の形態の例はティース一つ飛ばしで巻線を巻く例であり、図１に示すようにティース１０とティース４の間にティース３を飛ばして巻線１５が巻かれている。そして、飛ばされたティース３とその両隣のティース１０，４との間にはスロット５１，５３が形成されており、巻線１５が巻かれる２つのティース１０，４の外側のコーナー部（ここでいうコーナー部は絶縁部材１３のコーナー部であるが、説明を明確にする都合上ティースのコーナー部と表現する。）を結ぶ直線Ａ−Ａがスロット５１，５３の底面と略重なるような構成になっている。
【００１０】
上記のような構成のステーターにおいて、ティース１０とティース４間に巻線１５を巻くと、図１に示すように、巻線１５の外周面が直線Ａ−Ａと一致することになる。そのため、スロット５１，５３側に巻線１５が突出することがない。したがって、次に巻線１７（図中一点鎖線で示してある。）を巻く場合には巻線１７が入ることになるスロット５３には巻線が存在せず、巻線１５と同じようにティース４，６の最も根本側に巻くことができる。その他の巻線についても同様である。
このように、全ての巻線をティースの根本側にまくことができるので、全ての巻線の周長を短く抑えることができると共に、ステーター全体をコンパクトにすることができる。
【００１１】
実施の形態２．
図２はこの発明の実施の形態２の電動機のステーターの平面図であり、実施の形態１と同一部分には同一の符号が付してある。
この実施の形態２においては、各ティース間に形成されるスロットの底部の形状を、その中心部に向けて両側から傾斜するようにすることによって、直線Ａ−Ａとスロットの底面の位置を一致させ、巻線がスロットの底面よりもスロット側に突出しないようにしたものである。
このようにすることによって、巻線１５の次に巻く巻線１９（図中一点鎖線で示している。）は巻線１５によって邪魔されることなく、スロット５３の底に当接することができる。このため、巻線１９をしっかり整然と巻くことができ、その結果巻線の周長を短くすることができる。
【００１２】
実施の形態３．
図３はこの発明の実施の形態３の電動機のステーターの平面図であり、実施の形態１と同一部分には同一の符号が付してある。
この実施の形態３においては、ステーターコア１の形状は実施の形態１と同じであるが、絶縁部材１３の形状を変えることによって、実施の形態２と同様に直線Ａ−Ａとスロットの底面の位置を一致させ、巻線がスロットの底面よりもスロット側に突出しないようにしたものである。
この実施の形態によれば、絶縁部材１３の形状を変えるだけでよく、製造が簡単であるという効果がある。
【００１３】
【発明の効果】
この発明は以上説明したように構成されているので、以下に示すような効果を奏する。
【００１４】
巻線が巻かれる１組のティース先端コーナー部を連結した直線と、跨られたティース間のスロットの底面の位置を略同一とし、先巻き巻線がスロットに突出せず、後巻き巻線をティースの最も根本に巻くようにしたことにより、先に巻かれた巻線が後に巻かれるスロット側に突出することがなく、各巻線をティースの根本側に巻くことができるので、巻線の周長を短くでき、またステーター自体の形状をコンパクトにすることができる。
【００１５】
また、スロットの底部に傾斜部を設け、ティースの先端コーナー部を連結した直線がスロットの底面からスロット側に突出しないようにしたことにより、巻線をしっかり整然と巻くことができ、その結果巻線の周長を短くすることができる。
【００１６】
さらに、傾斜部をスロットに設置する絶縁部材を加工することによって形成したことにより、ステーター自体の形状を変えることなく傾斜部を形成できるので、製造が簡単である。
【図面の簡単な説明】
【図１】この発明の実施の形態１の平面図である。
【図２】この発明の実施の形態２の平面図である。
【図３】この発明の実施の形態３の平面図である。
【図４】従来の電動機のステーターの平面図である。
【符号の説明】
１  ステーターコア、３〜１０  ティース、３ｂ〜１０ｂ  ステーターコア先端コーナー部、１３  絶縁部材、１５，１７  巻線、５１，５３  スロット。
【図１】
0003564630.tif 000002
【図２】
0003564630.tif 000003
【図３】
0003564630.tif 000004
【図４】
0003564630.tif 000005